(57)【要約】【課題】植物の種子又は球根の乾燥に要するスペースを低減し、作業工数を削減し、乾燥期間を削減することのできる植物の種子又は球根の乾燥方法、および該乾燥方法に用いられる乾燥装置の提供。【解決手段】植物の種子又は球根の乾燥装置１０は、密閉状態に保たれた乾燥室１５と、その内気を除湿する除湿手段１２と、風路ｒ１、ｒ２、ｒ３、ｒ４を形成する風路形成手段１１と、内気を送風して循環風Ｗ１、Ｗ２、Ｗ３を発生させる送風手段１３と、風路ｒ３に配置され、前記種子又は前記球根を収納する通風可能な種子収納容器１４と、を有しており、除湿した循環風Ｗ２を、種子収納容器１４内を通過させて前記種子又は前記球根を乾燥させた。更に、循環風Ｗ２が均一に種子収納容器１４内を通過するように種子収納容器１４を配置した。また、冷却手段を設けて乾燥室１５の内気を冷却しても良い。【選択図】  図１
2004286296.tif 000002
【特許請求の範囲】
【請求項１】
植物の種子又は球根を通風可能な種子収納容器に収納し、
密閉状態に保たれて内気循環可能な乾燥室の内気を除湿し、
前記除湿された内気を送風して循環風を発生させ、
前記循環風が均一に前記種子収納容器内を通過するように該種子収納容器を前記循環風の風路に配置して、前記種子又は前記球根を乾燥することを特徴とする植物の種子又は球根の乾燥方法。
【請求項２】
前記種子又は前記球根の発芽率が低下する温度より、前記内気を低温に冷却することを特徴とする請求項１に記載の植物の種子又は球根の乾燥方法。
【請求項３】
密閉状態に保たれた乾燥室と、
前記乾燥室の内気を除湿する除湿手段と、
前記内気を循環させるための風路を形成する風路形成手段と、
前記内気を送風して循環風を発生させる送風手段と、
前記風路に配置され、植物の種子又は球根を収納する通風可能な種子収納容器と、を有することを特徴とする植物の種子又は球根の乾燥装置。
【請求項４】
前記内気を冷却する冷却手段を有することを特徴とする請求項３に記載の植物の種子又は球根の乾燥装置。
【請求項５】
前記風路形成手段は、前記種子収納容器と前記送風手段とを画成する非通気性部材であることを特徴とする請求項３又は請求項４に記載の植物の種子又は球根の乾燥装置。
【請求項６】
前記種子収納容器は、前記循環風が均一に該種子収納容器内を通過するように配置されることを特徴とする請求項３ないし５のいずれか１項に記載の植物の種子又は球根の乾燥装置。
【発明の詳細な説明】
【０００１】
【発明の属する技術分野】
本発明は、植物の種子又は球根を生産するための植物の種子又は球根の乾燥方法、及び植物の種子又は球根の乾燥装置に関するものである。
【０００２】
【従来の技術】
植物の種子を生産する態様としては、採取農家が種子を収穫し、乾燥し、脱穀し、計量した後、採取農家の組合を通じて種苗メーカーに出荷する態様が一般的である。
【０００３】
また、植物の球根の生産においても、一般に、採取農家が球根を収穫した後に乾燥させて生産している。
【０００４】
ここで、種子又は球根を乾燥させるのは、種子又は球根を乾燥させなければ発芽したり腐ったりしてしまうからであり、種子又は球根を乾燥させて休眠状態とするためである。
【０００５】
そして、このような種子又は球根の生産方法における乾燥方法としては、一般に、屋外、又は屋外からの風が通過する小屋内に配置して自然乾燥を行う乾燥方法が採用されている（以下、「自然乾燥方法」という）。
【０００６】
また、この種の他の乾燥方法として、例えば、図５に示したような玉葱の種子の生産における乾燥方法がある。
【０００７】
これは、茎２ごと刈り取って収穫した玉葱の種子袋（花球）１を、側方が開放した乾燥小屋３内に吊して乾燥させる方法（以下、「吊し乾燥方法」という。）である。
【０００８】
この吊し乾燥方法は、玉葱の種子袋１が茎２の上端に育成することを利用して、数本の茎２、２・・を束ねて縛り、乾燥小屋３の吊棚３ａに吊して自然に乾燥させる乾燥方法であり、乾燥に要する面積の低減を図ったものである。
【０００９】
そして、この吊し乾燥方法を行った後には、茎２を切り離した種子袋１を天日干しして仕上げ乾燥を行い、脱穀工程を経て種子袋１から種子を生産している。
【００１０】
また、このような種子の生産における他の乾燥方法としては、回転式乾燥装置を用い、かつ該乾燥装置のドラム回転軸に対する垂直方向から通気する乾燥方法も知られている（例えば、特許文献１参照。）。
【００１１】
【特許文献１】
特開平０８−１６８３０６号公報（第２頁、図１）
【００１２】
【発明が解決しようとする課題】
しかしながら、従来の自然乾燥方法では、種子又は球根を早期に乾燥させるため、種子又は球根を厚く堆積させずに広げておく必要があり、乾燥のために広い面積を必要とする。
【００１３】
しかも、自然乾燥方法では、乾燥に要する期間が天候によっては長期間となってしまうという問題もあった。
【００１４】
また、吊し乾燥方法では、茎２、２・・を束ねて吊棚３ａに吊す作業負荷が大きいため、作業工数が増大して生産コストが増大してしまう、という問題があった。
【００１５】
更に、吊し乾燥方法では、乾燥小屋３の側方が開放しているため、雨天時には防水シート等を用いて吹き込み防止のための作業を行う必要があり、更に、雨が吹き込んだ場合には発芽の虞もある、という問題があった。
【００１６】
また、吊し乾燥方法では、自然乾燥方法と比し広い乾燥スペースは必要としないものの、風通しを向上させるため所定の間隔で吊棚３ａを配設する必要があり、吊棚３ａに種子袋１を吊すための作業スペースも必要とするため、乾燥スペースの低減には一定の限界があるという問題があった。
【００１７】
そして、吊し乾燥方法では、自然乾燥方法と同様に自然環境を利用して乾燥させるため、乾燥に要する期間が外気温度や湿度に影響されて長期間になってしまうことが多い、という問題があった。
【００１８】
しかも、吊し乾燥方法では、種子袋１の吊した位置によって乾燥の進捗が相違し、更に乾燥に要する期間が長期化してしまうという問題があった。
【００１９】
一方、特許文献１記載の乾燥方法では、回転式乾燥装置を必要とするため、設備投資費、設備維持費が増大してしまう。
【００２０】
しかも、回転式乾燥装置のドラムに収納できる種子は少量に限定され、ドラム内の種子を入れ替える作業が必要となって作業工数が増大してしまう、という問題があった。
【００２１】
本発明は、このような従来の課題を解決するためになされたものであり、植物の種子又は球根の乾燥に要するスペースを低減すると共に作業工数を削減し、乾燥期間の削減を図ることのできる植物の種子又は球根の乾燥方法、および該乾燥方法に用いられる乾燥装置の提供を目的としている。
【００２２】
【課題を解決するための手段】
前記課題を解決するため、請求項１に記載された発明は、植物の種子又は球根を通風可能な種子収納容器に収納し、密閉状態に保たれて内気循環可能な乾燥室の内気を除湿し、前記除湿された内気を送風して循環風を発生させ、前記循環風が均一に前記種子収納容器内を通過するように該種子収納容器を前記循環風の風路に配置して、前記種子又は前記球根を乾燥することを特徴とする植物の種子又は球根の乾燥方法である。
【００２３】
このように構成された請求項１記載の植物の種子又は球根の乾燥方法では、前記種子収納容器を前記風路に配置して、前記循環風を前記種子収納容器内を通過させて前記種子又は前記球根を乾燥するため、前記種子収納容器を積み重ねて配置することができ、乾燥スペースの低減を図ることができる。
【００２４】
そして、前記内気を除湿するため、前記種子又は前記球根の乾燥期間を一定に保つことができる。
【００２５】
更に、前記循環風が均一に前記種子収納容器内を通過するように該種子収納容器を前記循環風の風路に配置するため、前記種子又は前記球根を均一に乾燥させることができ、乾燥期間の短縮を図ることができる。
【００２６】
また、請求項２に記載された発明は、前記種子又は前記球根の発芽率が低下する温度より、前記内気を低温に冷却することを特徴とする請求項１に記載の植物の種子又は球根の乾燥方法である。
【００２７】
このように構成された請求項２記載の植物の種子又は球根の乾燥方法では、前記種子又は前記球根の発芽率が低下する温度より、前記内気を低温に冷却するため、外気温が高温の場合であっても、前記種子又は前記球根の発芽率の低下を抑制することができる。
【００２８】
また、請求項３に記載の発明は、密閉状態に保たれた乾燥室と、前記乾燥室の内気を除湿する除湿手段と、前記内気を循環させるための風路を形成する風路形成手段と、前記内気を送風して循環風を発生させる送風手段と、前記風路に配置され、植物の種子又は球根を収納する通風可能な種子収納容器と、を有することを特徴とする植物の種子又球根の乾燥装置である。
【００２９】
このように構成された請求項３記載のものでは、前記乾燥室の内気を除湿する前記除湿手段を有しているため、該乾燥室内を除湿することができ、前記種子又は前記球根の乾燥期間を略一定に保つことができる。
【００３０】
そして、前記風路に配置され、前記種子又は前記球根を収納する通風可能な種子収納容器を有しているため、前記循環風を前記種子収納容器内に作用させることができ、前記種子又は前記球根の乾燥期間の短縮を図ることができる。
【００３１】
更に、前記種子収納容器を前記風路に配置するため、該種子収納容器を積み重ねて配置することができ、乾燥スペースの低減を図ることができる。
【００３２】
また、請求項４に記載された発明は、前記内気を冷却する冷却手段を有することを特徴とする請求項３に記載の植物の種子又は球根の乾燥装置である。
【００３３】
このように構成された請求項４記載のものでは、前記内気を冷却する冷却手段を有しているため、前記乾燥室外の気温が上昇しても前記乾燥室の内気を前記種子又は球根の発芽率の低下する温度より低温に保つことができ、発芽率の低下の抑制を図ることができる。
【００３４】
また、請求項５に記載された発明は、前記風路形成手段は、前記種子収納容器と前記送風手段とを画成する非通気性部材であることを特徴とする請求項３又は請求項４に記載の植物の種子又は球根の乾燥装置である。
【００３５】
このように構成された請求項５記載のものでは、前記非通気性部材が前記種子収納容器と前記送風手段とを画成するため、前記送風手段からの送風が直接に前記種子収納容器に作用せず、前記種子又は前記球根の乾燥が不均一となることを防止することができる。
【００３６】
また、請求項６に記載された発明は、前記種子収納容器は、前記循環風が均一に該種子収納容器内を通過するように配置されることを特徴とする請求項３ないし請求項５に記載の植物の種子又は球根の乾燥装置である。
【００３７】
このように構成された請求項６記載のものでは、前記種子収納容器が、前記循環風が均一に該種子収納容器内を通過するように配置されるため、前記循環風を均一に前記種子収納容器内を通過させて個体差を生じさせず前記種子又は前記球根を均一に乾燥させることができる。
【００３８】
【発明の実施の形態】
本発明の実施の形態を、図を参照して説明する。
【００３９】
本実施形態では、植物の種子としての玉葱の種子袋を用いている。
【００４０】
図１、図２に示したように、本実施形態の植物の種子又は球根の乾燥装置１０は、屋外に設置された乾燥室１５と、乾燥室１５の内気を除湿する除湿手段としての除湿機１２と、前記内気を循環させるための風路を形成する風路形成手段としての非通気性部材１１と、前記内気を送風する送風手段としての送風機１３、１３・・と、種子収納容器としてのコンテナ１４、１４・・・と、を有している。
【００４１】
乾燥室１５は、床部１５ａと、床部１５ａ上に立設した側壁部１５ｂ、１５ｃ、１５ｄ、１５ｅと、この側壁部１５ｂ、１５ｃ、１５ｄ、１５ｅの上端に設けられた屋根部１５ｆと、を有している。
【００４２】
床部１５ａ、側壁部１５ｂ、１５ｃ、１５ｄ、１５ｅ、及び屋根部１５ｆは、防水シート、防水パネル等より形成されて雨、露等の水分が乾燥室１５に浸入しないようになっており、乾燥室１５は略密閉状態に保たれている。
【００４３】
また、乾燥室１５には、屋根部１５ｆから下方に延びる送風機嵌合部材１３ａが設けられている。
【００４４】
この送風機嵌合部材１３ａは、側壁部１５ｅ寄りに位置しており、対向する一対の側壁部１５ｂ、１５ｄ間に渡って設けられて、長方形状を呈している。
【００４５】
そして、この送風機嵌合部材１３ａに設けられた貫通口に、側壁部１５ｃに向けて水平に送風するように送風機１３、１３・・・が嵌合固定されている。
【００４６】
更に、送風機嵌合部材１３ａの下端は、床部１５ａと所定の間隔を保っており、この送風機嵌合部材１３ａの下端に図示しない柱部材が複数本設けられて、この柱部材が送風機嵌合部材１３ａ、送風機１３、１３・・・、及び非通気性部材１１の基端部１１ｃを保持するようになっている。
【００４７】
また、非通気性部材１１は、送風機嵌合部材１３ａの下端近傍に設けられた基端部１１ｃから水平方向に延設しており、乾燥室内Ｒの上方に風路ｒ１と、下方に風路ｒ３とを形成すると共に、対向する側壁部１５ｃ、１５ｅ近傍にそれぞれ風路ｒ２、ｒ４を形成している。
【００４８】
また、非通気性部材１１は、長方形状に形成されたプラスチックパイプ等の外枠に非通気性シートが貼着された構成となっており、図２に示したように、対向する側壁部１５ｂ、１５ｄ間に渡って設けられている。
【００４９】
この非通気性部材１１の先端部１１ｄは、側壁部１５ｃと所定の間隔を保って風路ｒ２が形成され、側壁部１５ｃと先端部１１ｄとの間は上下方向に風が通過できるようになっている。
【００５０】
また、側壁部１５ｅと基端部１１ｃとは所定の間隔を保って風路ｒ４が形成されており、側壁部１５ｅと基端部１１ｃとの間は上下方向に風が通過できるようになっている。
【００５１】
更に、この基端部１１ｃはヒンジ等で固定され、非通気性部材１１は基端部１１ｃを回動中心とする回動が可能になっている。
【００５２】
また、本実施形態の植物の種子又は球根の乾燥装置１０は、非通気性部材１１の先端部１１ｄを昇降するための昇降装置１６を有している。
【００５３】
昇降装置１６は、ワイヤ部材１６ａと、屋根部１５ｆに固定された滑車部材１６ｂ、１６ｂと、側壁部１５ｃに堅固に固定されたフック部材１６ｃと、フック部材に係止可能なリング部材１６ｄと、を有している。
【００５４】
このリング部材１６ｄは、ワイヤ部材１６ａの一端に取り付けられ、ワイヤ部材１６ａの他端は、先端部１１ｄに取り付けられている。
【００５５】
そして、ワイヤ部材１６ａは、滑車部材１６ｂに滑動可能に装着され、ワイヤ部材の両端が滑車部材１６ｂから垂下されている。
【００５６】
また、除湿機１２は、室内機１２ａと、室外機１２ｂと、この室内機１２ａ及び室外機１２ｂを制御する制御装置１２ｃと、を有している。
【００５７】
そして、除湿機１２は、図示しない電源に接続されて乾燥室１５の内気を除湿できるようになっている。
【００５８】
更に、本実施形態の除湿機１２は冷却手段を備えており、乾燥室内Ｒの熱を乾燥室１５外に排出して乾燥室１５の内気を冷却できるようになっている。
【００５９】
そして、制御装置１２ｃは、乾燥室１５の内気が設定温度、湿度を保持するように、室内機１２ａ及び室外機１２ｂに所定の制御電圧を印加できる構成となっている。
【００６０】
また、コンテナ１４、１４・・・は、送風機１３が送出した送出風が直接に当たらないように、非通気性部材１１により送風機１３と画成された風路ｒ３に配置されている。
【００６１】
そして、コンテナ１４、１４・・・は、それぞれ隣り合うコンテナ１４と略密着状態で床部１５ａ上に並べられると共に、側壁部１５ｂ、１５ｄに近接するまで側壁部１５ｂから側壁部１５ｄに渡って連設されている。
【００６２】
更に、コンテナ１４、１４・・・は、風路ｒ３を塞ぐように非通気性部材１１に近接するまで積み上げられて、上面視で非通気性部材１１の全面と重複するように配置されている。
【００６３】
また、図３に示すように、コンテナ１４は、コンテナ下底壁１４ａ及びコンテナ側壁１４ｂ、１４ｂ・・・を有しており、上底１４ｃが開口した中空直方体形状となっている。
【００６４】
コンテナ下底壁１４ａ、及びコンテナ側壁１４ｂ、１４ｂ・・・は、格子状になっており、開口部１４ｄ、１４ｄ・・・を有している。
【００６５】
この開口部１４ｄ、１４ｄ・・・は、玉葱の種子袋１の通過を許容しない大きさに形成されている。
【００６６】
しかも、開口部１４ｄ、１４ｄ・・・は、コンテナ側壁１４ｂ、１４ｂ・・・の開口率が高くなるように複数設けられており、コンテナ１４は、側方からの風が容易に通過できるようになっている。
【００６７】
次に、このような構成を有する植物の種子又は球根の乾燥装置１０の作用について、本発明の種子又は球根の乾燥方法に沿って説明する。
【００６８】
まず、図４（ａ）に示すように、下端部分２ａを切断されて収穫された玉葱の茎２と、この茎２の上端に形成された種子袋１とを切り離す。
【００６９】
ここで、種子袋１の外周から茎２ｂが突出しないように茎２を切り離すことが望ましいが、Ａ−Ａ線に沿って切断して、図４（ｂ）に示すように、少なくとも種子袋１の径Ｈ１より茎２ｂの長さＨ２が短くなるように種子袋１と茎２とを切り離す。
【００７０】
そして、茎２を切り離した複数の種子袋１、１・・・を、上底１４ｃ近傍までコンテナ１４、１４・・・内に収納する。
【００７１】
このとき、コンテナ１４の開口部１４ｄ、１４ｄ・・・が種子袋１の通過を許容しない大きさに形成されているため、種子袋１はコンテナ１４の開口部１４ｄ、１４ｄ・・・からコンテナ１４外に脱落することはない。
【００７２】
このように、茎２を切り離し、種子袋１、１・・・のみをコンテナ１４、１４・・・内に収納して乾燥すれば、茎２を束ねる作業を省略することができ、作業工数の削減を図ることができる。
【００７３】
そして、図１に示したように、リング部材１６ｄをフック部材１６ｃに係止し、自由端部１１ｄを上方に引き上げて非通気性部材１１を傾けた状態で保持する。
【００７４】
更に、種子袋１、１・・・が収納されたコンテナ１４、１４・・・を、非通気性部材１１により送風機１３と画成された風路ｒ３に配置する。
【００７５】
このように、茎２を切り離した種子袋１のみを収納したコンテナ１４、１４・・・を配置すれば、茎２を束ねて吊すためのスペースを必要とせず、省スペース化を図ることができる。
【００７６】
しかも、非通気性部材１１でコンテナ１４、１４・・・と送風機１３とを画成すれば、送風機１３からの送風が直接にコンテナ１４、１４・・・に作用せず、種子袋１、１・・・の配置部位の相違による不均一な乾燥を低減することができる。
【００７７】
そして、隣り合うコンテナ１４、１４・・・を略密着状態で連接させて床部１５ａ上に並べると共に、側壁部１５ｂ、１５ｄに近接するまで側壁部１５ｂから側壁部１５ｄに渡って連設する。
【００７８】
更に、コンテナ１４、１４・・・を、非通気性部材１１に近接する位置まで積み上げて、風路ｒ３を塞ぐように配置する。
【００７９】
また、このように配置した後に、リング部材１６ｄのフック部材１６ｃへの係止を解除して、非通気性部材１１を水平状態に戻しコンテナ１４、１４・・・の上方を覆わせる。
【００８０】
そして、乾燥室１５の内気を、除湿機１２で除湿すると共に、内気を冷却して発芽率が低下する温度より低い温度に、すなわち玉葱の種子の場合には３５℃未満、好ましくは３３℃未満、より好ましくは３０℃未満に保持する。
【００８１】
このように乾燥室１５の内気を除湿して乾燥室内Ｒの湿度を低減すれば、種子袋１、１・・・の乾燥速度を安定させることができ、乾燥に要する期間を一定に保つことができる。
【００８２】
しかも、乾燥室１５の内気を冷却して種子袋１、１・・・の温度の上昇を防ぐため、種子袋１、１・・・から得られる種子の発芽率の低下を抑制することができる。
【００８３】
そして、このように除湿冷却された内気を、送風機１３、１３・・により送風して循環風Ｗ１、Ｗ２、Ｗ３を発生させる。
【００８４】
すなわち、送風機１３、１３・・により前記内気を側壁部１５ｃに向けて送風すると、図１に示したように、非通気性部材１１が風路ｒ１、ｒ２、ｒ３、ｒ４を形成しているため、風路ｒ１から風路ｒ２、風路ｒ２から風路ｒ３、風路ｒ３から風路ｒ４、風路ｒ４から風路ｒ１、と乾燥室１５を循環する循環風Ｗ１、Ｗ２、Ｗ３が発生する。
【００８５】
このとき、送風機１３の吸引側に位置する風路ｒ４が負圧状態となる一方、送出側の風路ｒ１、ｒ２が正圧状態となり、ｒ２とｒ４との間に差圧が生じる。
【００８６】
そして、風路ｒ３には、コンテナ１４、１４・・・が風路ｒ３を塞ぐように配置されているため、循環風Ｗ２が均一にコンテナ１４、１４・・・内を通過して、風路ｒ４に流出する。
【００８７】
しかも、図３に示したように、各コンテナ１４は、複数の開口部１４ｄ、１４ｄ・・・を備えて通風可能となっているため、各コンテナ１４内の種子袋１、１・・・の周囲にも略均一に循環風Ｗ２を通過させることができる。
【００８８】
このように、循環風Ｗ２を、コンテナ１４、１４・・・内を均一に通過させれば、種子袋１、１・・・を均一に乾燥することができる。
【００８９】
更に、前記内気は除湿機により除湿されているため、種子袋１、１・・・を乾燥するための期間の短縮を図ることができる。
【００９０】
従って、本実施形態の植物の種子又は球根の乾燥装置１０、及びこの乾燥装置１０を用いた種子又は球根の乾燥方法であれば、種子としての種子袋１、１・・・の乾燥期間の短縮を図ることができると共に、乾燥期間を一定に保つことができる。
【００９１】
このため、玉葱の種子の出荷時期を安定させることができると共に、早期の出荷を図ることができる。
【００９２】
しかも、種子袋１、１・・・をコンテナ１４、１４・・・内に収納して乾燥するため、茎２を束ねて吊す作業を省略することができ、作業工数の削減を図ることができ、玉葱の種子の生産コストの低減を図ることができる。
【００９３】
また、茎２を切り離した種子袋１のみを収納したコンテナ１４、１４・・・を配置するため、茎２を束ねて吊すためのスペースを必要とせず、省スペース化を図ることができる。
【００９４】
以上、本発明の実施の形態を、図を参照して説明してきたが、具体的な構成はこの実施形態に限らず、この発明の要旨を逸脱しない範囲の設計の変更があってもこの発明に含まれる。
【００９５】
例えば、本実施の形態は、従来の乾燥方法と比し特に顕著な効果を得ることのできる玉葱の種子（種子袋）の乾燥方法であるが、乾燥する種子は玉葱の種子に限定されず、植物の種子又は球根であればよい。
【００９６】
また、本実施の形態では前記除湿機が冷却手段としての機能を有し、該除湿機により前記内気を冷却しているが、乾燥室外の気温が種子の発芽率を低下させる温度より低温に保たれるような場所であれば、必ずしも冷却手段を必要とするものではなく、また、冷却手段は前記除湿機と別体で設けられていてもよい。
【００９７】
更に、本実施形態では前記非通気性部材を昇降装置により回動可能な構成としているが、該非通気性部材は前記種子収納容器と前記送風手段とを画成するものであればよく、前記種子収納容器の上部に非通気性シートを被せて前記送風手段と画成する構成であってもよい。
【００９８】
また、従来の吊し乾燥方法に用いていた乾燥小屋３内に本発明の乾燥装置を設けて種子を乾燥しても良い。
【００９９】
このようにすれば、本発明の乾燥装置の乾燥室に日光が直接照射されることを防ぐことができ、前記乾燥室内の温度の上昇を抑制して省電力を図ることができる。
【０１００】
【実施例】
（実施例１）
以下の各条件により玉葱の種子袋の乾燥を行い、乾燥方法の相違に基づく効果の相違について比較検討した。
（１）試験期間
平成１４年７月９日〜平成１４年７月１６日
（２）使用機材
本実施例１で使用した種子の乾燥装置１１０を図６、図７に示した。
【０１０１】
種子の乾燥装置１１０は、乾燥室としてのテント式乾燥室（庫）１１５と、除湿手段及び冷却手段としての冷却機能付除湿機１１２と、送風手段としての工場扇１１３と、通風可能な種子収納容器としてのコンテナＣ、Ｃ・・・と、を有している。ここで、コンテナＣ、Ｃ・・・としては、開口率の大きなコンテナＣ１と開口率の小さなコンテナＣ２の二種類を採用した。
【０１０２】
これらの機材の規格を下記に示す。
▲１▼テント式乾燥室１１５
２，７００Ｄ×１，８００Ｗ×２、２００Ｈ（ｍｍ）
▲２▼冷却機能付除湿機１１２
消費電力：三相２００Ｖ  ２．３ｋｗｈ
除湿能力：４．１Ｌ／ｈ
冷却能力：６５１３Ｗ
▲３▼工場扇１１３
消費電力：１Φ１００Ｖ  ２３９Ｗ
▲４▼コンテナＣ
コンテナＣ１
外寸法：６００Ｄ×４００Ｗ×２３０Ｈ（ｍｍ）
開口率：約６０％
コンテナＣ２
外寸法：５２５Ｄ×３７５Ｗ×３００Ｈ（ｍｍ）
開口率：約４０％
（３）乾燥対象物
早生品種玉葱の種子袋
乾燥前質量：７５１．０５ｋｇ（コンテナＣ１：７９個、コンテナＣ２：５０個）
対象圃場：約２，４７９平方メートル（約２．５反）
（４）試験方法
（ａ）本発明に係る実施例１
▲１▼収穫工程：茎が約３０ｃｍ残った状態で種子袋を刈り取った。
▲２▼茎切工程：茎を切断して種子袋のみをコンテナＣに収納した。
▲３▼乾燥工程：乾燥室にコンテナＣを配置し、２８℃で乾燥させた。ここで冷却機能付除湿機１１２側（図６及び図７中、左側）から三列目までにコンテナＣ１を配置した。また、四列目にコンテナＣ１及びコンテナＣ２を混在させて配置し、五列目と六列目にコンテナＣ２を配置した。更に、コンテナＣは各列毎に積み上げて配置した。
▲４▼天日干し工程：乾燥終了した種子袋を一日間天日干しした。
▲５▼脱穀工程：脱穀機で脱穀し一番種を採取した。
▲６▼天日干し工程：残った殻を一日間天日干しした。
▲７▼脱穀工程：脱穀機で脱穀し二番種を採取した。
▲８▼選別工程：籾殻等を除去した。
【０１０３】
（ｂ）従来の乾燥方法に係る実施例（比較例１）
▲１▼収穫工程：茎が約３０ｃｍ残った状態で種子袋を刈り取った。
▲２▼乾燥工程：茎を縛り吊り小屋に吊して自然乾燥させた。
▲３▼茎切工程：種子袋から茎を切断した。
▲４▼天日干し工程：乾燥終了した種子袋を一日間天日干しすると共に灯油熱源を用いて温風乾燥した。
▲５▼脱穀工程：脱穀機で脱穀し一番種を採取した。
▲６▼天日干し工程：残った殻を一日間天日干しした。
▲７▼脱穀工程：脱穀機で脱穀し二番種を採取した。
▲８▼選別工程：籾殻等を除去した。
（５）結果
（ａ）実施例１における各コンテナＣ１、Ｃ２の質量及び含水量変化を表１に示す。
【０１０４】
【表１】
2004286296.tif 000003
【０１０５】
表１に示したように、各コンテナＣ１、Ｃ２に収納された種子袋の乾燥速度及び乾燥ムラを比較すると、開口率の大きなコンテナＣ１に収納された種子袋の乾燥速度が早く、また、乾燥ムラも少なかった。
【０１０６】
コンテナＣ２に収納された種子袋のうち、特に収穫時期が若干早かった若採り種に乾燥が不十分な部分が残った。
【０１０７】
（ｂ）実施例１における各コンテナＣ１、Ｃ２の乾燥速度と質量減少率を図８及び表２に示す。
【０１０８】
【表２】
2004286296.tif 000004
【０１０９】
表２に示したように、乾燥初期の３日間は水分蒸散が活発であり、ほぼ直線的に乾燥が進んだが、４日目からは水分蒸散が緩慢になった。６日目の計測で質量減少率はコンテナＣ１が５８、２％、コンテナＣ２が５３．８％となり、必要となる乾燥はほぼ完了していたが、一部に収穫時期の早い青い種子が見られたため、庫内相対湿度が６０％になったら除湿停止をするように設定し、さらに一日乾燥し、合計乾燥日数は７日間であった。
【０１１０】
なお、比較例の乾燥日数は１０日間から１２日間であった。
【０１１１】
コンテナ別では、コンテナＣ２と比し開口率の大きなコンテナＣ１に収納された種子袋が一日程度早く乾燥が進み、最終の質量減少率はコンテナＣ１が６１．６％、コンテナＣ２が５７．２％であった。
【０１１２】
（ｃ）コンテナＣの配置される上下方向の位置の相違による種子袋の乾燥速度及び乾燥ムラの経時変化を図９、図１０及び表３に示した。なお、図９はコンテナＣ１、図１０はコンテナＣ２に収納された種子袋についての測定結果である。また、最上段から順に一段目とし、下方に向けて二段目、三段目・・・としている。
【０１１３】
【表３】
2004286296.tif 000005
【０１１４】
図９及び図１０に示したように、風が良く当たる最上段と最下段のコンテナＣに収納された種子袋の乾燥が早く、最上段と最下段との間に位置するコンテナＣに収納された種子袋の乾燥が遅くなる傾向となった。
【０１１５】
また、３〜４日目が乾燥ムラが生じるピークであり、乾燥が進むに従って乾燥の均一化が進行した。
【０１１６】
コンテナＣ別の比較ではコンテナＣ１に収納された種子袋の乾燥ムラが少なく、より均一に乾燥された。
【０１１７】
（ｄ）コンテナＣの配置される水平方向の位置の相違による種子袋の乾燥速度及び乾燥ムラの経時変化を図１１及び表４に示した。
【０１１８】
【表４】
2004286296.tif 000006
【０１１９】
図１１、表４に示したように、乾燥のための条件の不利な冷却機能付除湿機１１２側から三列目までのコンテナＣ１に収納された種子袋の乾燥が早く、乾燥ムラも少なかった。続いてコンテナＣ１及びコンテナＣ２が混在した四列目のコンテナＣに収納された乾燥が早く、乾燥ムラも少なかった。五列目、六列目に配置されたコンテナＣ２に収納された種子袋の乾燥が遅く、コンテナＣの開口率の相違に基づく種子袋の乾燥速度、乾燥ムラの相違が顕著に現れた。
【０１２０】
（ｅ）温度及び湿度の経時変化を図１２に示す。また、日にち別の最高、最低、平均温度及び湿度を表５に示す。
【０１２１】
【表５】
2004286296.tif 000007
【０１２２】
図１２に示したように、テント式乾燥室１１５内の温度は２８℃の設定に対して２７℃〜３０℃で推移した。
【０１２３】
また、テント式乾燥室１１５内の湿度は乾燥開始直後には７０％を切り、蒸れることなく乾燥でき、最低湿度は４５％を下回った。
【０１２４】
７月１５日午後からの湿度上昇は、湿度制御（６０％以下で除湿ＯＦＦ）の結果であり、心配した温度上昇は起こらなかった。
【０１２５】
（ｆ）時間別消費電力量を図１３に示す。また、日にち別電力消費量を表６に示す。
【０１２６】
【表６】
2004286296.tif 000008
【０１２７】
図１３、表６に示したように、冷却機能付除湿機１１２の使用電力量は、最大稼働でコンテナＣをテント式乾燥室１１５内に配置した直後の高湿時が２．３９ｋＷｈである。そして、２日目が２．２４ｋＷｈ、３日目が２．２５ｋＷｈ、４日目が２．２１ｋＷｈ、５日目が２．１７ｋＷｈ、湿度調整を始めた６日目が１．９６ｋＷｈ、７日目が１．７０ｋＷｈと湿度低下に伴って下がり、冷却機能付除湿機１１２の定格（２．３ｋＷｈ）より少なく推移した。
【０１２８】
なお、累積消費電力は３５９．１ｋＷであった。
【０１２９】
（実施例２）
（１）試験期間
平成１４年７月２２日〜平成１４年７月２８日
（２）使用機材
本実施例２では、実施例１において使用した種子の乾燥装置１１０を用い、更に最上段のコンテナＣの上面を風路形成手段（非通気性部材）としての差圧シート１１１（図６中、二点鎖線で示した）で覆って種子を乾燥させた。
【０１３０】
また、本実施例２においては、コンテナＣとして、開口率６０％のコンテナＣ１のみを用いた。
（３）乾燥対象物
晩生品種玉葱の種子袋
乾燥前質量：５９７．３９ｋｇ（コンテナＣ１：１４０個）
対象圃場：約２，１８２平方メートル（約２．２反）
（４）試験方法
実施例１と同様の工程で種子袋の乾燥を行った。ただし、コンテナＣ１を７月２２日に６８個、７月２３日に７２個と、異なる日に配置して乾燥を開始した。
【０１３１】
また、比較例２として、晩生品種玉葱の種子袋について比較例１と同様の工程で乾燥を行った。
（５）結果
（ａ）コンテナＣ１に収納された種子袋の質量及び含水率変化を表７に示す。
【０１３２】
【表７】
2004286296.tif 000009
【０１３３】
差圧シート１１１による風の整流効果が現れ、種子袋の乾燥速度が速く、乾燥ムラも改善し、脱穀状況も良好であった。
【０１３４】
（ｂ）種子袋の乾燥速度及び質量減少率を図１４及び表８に示した。
【０１３５】
【表８】
2004286296.tif 000010
【０１３６】
図１４及び表８に示したように、７月２２日に配置したコンテナＣ１の種子袋は、５日間で質量減少率が６２．４％に達し、６日目には６６．２％まで乾燥できた。
【０１３７】
また、７月２３日に配置したコンテナＣ１の種子袋は７月２２日に配置したコンテナＣ１の種子袋より乾燥がやや遅くなったが、５日間の乾燥で質量減少率が６０．０％に達し、いずれも早生品種のコンテナＣ１の種子袋（５日目の質量減少率が５２．８％）より１〜２日早期に乾燥が終了した。これは、テント式乾燥室１１５内に配置した種子袋量の相違と、差圧シート１１１の整流効果に起因するものと考えられる。また、一日天日で仕上げた後の脱穀状況も良好であった。
【０１３８】
なお、従来の乾燥方法では、１０日間乾燥し、仕上げ乾燥は出荷日が迫っていたことから温風乾燥を使用した。
【０１３９】
（ｃ）コンテナＣの配置される上下方向の位置の相違による種子袋の乾燥速度及び乾燥ムラの経時変化を図１５、図１６及び表９に示した。なお、図１５は７月２２日に配置されたコンテナＣ１に収納された種子袋、図１６は７月２３日に配置されたコンテナＣ１に収納された種子袋についての測定結果である。また、最上段から順に一段目とし、下方に向けて二段目、三段目・・・としている。
【０１４０】
【表９】
2004286296.tif 000011
【０１４１】
図１５及び表９に示したように、７月２３日に配置されたコンテナＣ１については、最下段のコンテナＣ１に収納された種子袋の乾燥がやや早かったが、その上方の五段はほぼ均等に乾燥が進んだ。図１６に示したように、７月２３日に配置されたコンテナＣ１に収納された種子袋についても同様の傾向を示した。
【０１４２】
（ｄ）コンテナＣの配置される水平方向の位置の相違による種子袋の乾燥速度及び乾燥ムラの経時変化を図１７及び表１０に示した。
【０１４３】
【表１０】
2004286296.tif 000012
【０１４４】
７月２２日に配置されたコンテナＣ１に収納された種子袋については、コンテナＣ１の配置される水平方向の位置の相違により乾燥中期にはやや乾燥速度に差が生じたが、６日目には殆ど解消した。７月２３日に配置されたコンテナＣ１に収納された種子袋については、入り口側（冷却機能付除湿機１１２の反対側）から早く乾く傾向を示した。
【０１４５】
（ｅ）温度及び湿度の経時変化を図１８に示す。本実施例２においては、テント式乾燥室１１５外の温度及び湿度も測定した。また、日にち別の最高、最低、平均温度及び湿度を表１１に示す。
【０１４６】
【表１１】
2004286296.tif 000013
【０１４７】
図１８に示したように、テント式乾燥室１１５内の温度は外気温の上昇に伴って、テント生地からの熱進入が大きく２８℃の設定に対して２℃程度高く推移した。
【０１４８】
テント式乾燥室１１５内の湿度は、開始当初の７０％から５日目には５０％を下回り、順調に種子袋を乾燥することができた。なお、７月２７日の午後からは過乾燥防止のため湿度調整を行った。
【０１４９】
（ｆ）時間別消費電力量を図１９に示す。また、日にち別電力消費量を表１２に示す。
【０１５０】
【表１２】
2004286296.tif 000014
【０１５１】
図１９、表１２に示したように、冷却機能付除湿機１１２の使用電力量は、平均で２．１０ｋＷｈであり、ピーク時で２．２０ｋＷｈ、６日間の累計消費電力は３０９．１ｋＷであった。
【０１５２】
（ｇ）実施例１、２及び比較例１、２の発芽率を表１３に示した。なお、発芽率の調査は乾燥方法の違いによる種子品質の確認を目的として実施した。
【０１５３】
また、調査条件には規格があり、シャーレに濾紙を２枚敷き、水を４ｍＬ加えて種子を１００粒播き、蓋を閉めた容器を２０℃の恒温室に置き、６日目に発芽勢、１２日目に発芽率を読むものである。
【０１５４】
【表１３】
2004286296.tif 000015
【０１５５】
表１３に示したように、実施例１は比較例１よりも発芽率が高くなり、実施例２は比較例２よりも発芽率が高くなった。
【０１５６】
このため、実施例１、２では、従来の吊し乾燥方法による比較例１、２と比し、品質面でいずれも問題のないことがわかった。
【０１５７】
また、以上の結果の主要なものをまとめたものを表１４に示した。
【０１５８】
【表１４】
2004286296.tif 000016
【０１５９】
（考察）
（１）評価
実施例１及び２により、本発明の乾燥方法は、従来の吊し乾燥方法と比較して以下の評価が得られた。
（ａ）乾燥時間が２〜５日間短縮できる。
（ｂ）約１１，９００平方メートル（約一町二反）の圃場面積において、従来の吊し乾燥方法では、玉葱の種子袋の収穫から乾燥開始までの作業人員は約９０人役であり、本発明の種子の乾燥装置を用いた乾燥方法であれば、従来と比し１／３程度は作業人員の削減が可能と考えられる。更に、従来の吊し乾燥方法では、天日乾燥仕上げ前の茎の切断に６人役を要するため、作業人員を合計で３５〜４０人程度は削減できる。
（ｃ）本発明では、種子袋のみを収穫するため収穫後の輸送が容易になる。
（ｄ）本発明では、降雨時の吹き込み防止のためのシートの開閉が不要であり、雨の吹込みが原因で起こる発芽の心配がない。
（ｅ）乾燥するために要する面積を１／３に縮小でき、空きスペースが有効利用できる。更に、乾燥場を新設する場合には、建築費用を削減できる。
（ｆ）若干の若採りでも乾燥できるため、収穫時期が拡大し、日程調整に幅ができる。
（ｇ）切断されずに種子袋に残された茎片も十分に乾いているため、脱穀作業が容易である。
【０１６０】
（２）実用システムの設計
（ａ）設計緒元
▲１▼処理量
圃場面積  約５，９５０平方メートル（約６反）分
入庫質量  ３００ｋｇ／９９１．７ｍ２（約１反）×約５、９５０ｍ２（約６反）＝約１，８００ｋｇ
▲２▼コンテナ
外形寸法  ６００Ｗ×４００Ｄ×２３０Ｈ
入庫質量  ４．５ｋｇ／個
数量  １，８００ｋｇ／４．５ｋｇ＝４００個
▲３▼質量減少率
６２％
▲４▼乾燥日数
６日
▲５▼必要除湿量
１，８００ｋｇ×０．６２＝１，１１６ｋｇ
１，１１６ｋｇ／（２４ｈ×６日）＝７．７５ｋｇ／ｈ
（ｂ）システム設計と仕様
本発明の種子の乾燥装置１０において好適な仕様の一例を、表１５に示した。
【０１６１】
【表１５】
2004286296.tif 000017
【０１６２】
（ｃ）ランニングコスト計算
▲１▼契約種別
低圧電力
▲２▼料金単価
基本料金単価  １，０１５円／ｋＷ・月（不使用月は半額）
電力料金単価  １１．１５円／ｋＷｈ（夏季料金適用単価）
▲３▼消費電力
９．３ｋＷｈ
▲４▼契約電力
９ｋＷ
▲５▼ランニングコスト
基本料金
９ｋＷ×１，０１５円×１月＝９，１３５円（使用月）
９ｋＷ×１，０１５円×１１月×０．５＝４１，１０８円（不使用月）
電力量料金
９．３ｋＷｈ×２４ｈ×６日×１１．１５円＝１４，９３２円
合計  ６４、２７５円／年
（ｄ）経済的効果
圃場面積約１２，０００平方メートル（約１町２反）での経済性を検討した。
▲１▼本発明の種子の乾燥装置において特に必要となる費用
イニシャルコスト：１，６５０，０００円／６，０００ｍ３×２基＝３，３００，０００円
ランニングコスト：６４，２７５円／６，０００ｍ３×２基＝１２８，５５０円／年
▲２▼従来の吊し乾燥方法に必要とされる人件費と、本発明の玉葱の種子の乾燥方法に必要とされる人件費との比較を表１６に示した。なお、人件費は１，５００円／時として算出した。
【０１６３】
【表１６】
2004286296.tif 000018
【０１６４】
表１６に示したように、従来の吊し乾燥方法より削減できた人件費は４０６，８００円／年であり、本実用システムの試算と実施例１での結果とがほぼ一致した。また、従来の吊し乾燥方法の乾燥小屋を新設する場合は、圃場面積約１２，０００平方メートル（約１２０ａ）に対して９００万円程度が必要であり、本発明の種子の乾燥装置を導入した場合は、建屋面積の縮小により建築費が半分以下に減額されるため、建築費が設備費を上回ることになる。
【０１６５】
（まとめ）
玉葱の種子を乾燥小屋に吊して自然乾燥を行う従来の吊し乾燥方法に代えて、除湿装置を利用して早生品種は７月９日から、晩生品種は７月２２日から乾燥を開始した。
【０１６６】
従来の吊し乾燥方法では、茎を結束して吊り込む方法であるが、本発明では種子袋のみをコンテナに収納して乾燥室内に積み上げて配置して乾燥した。
【０１６７】
開口率の大きなコンテナの乾燥効率が良く、積み上げたコンテナ上部に差圧シートを掛けることにより乾燥ムラが解消でき、乾燥日数は従来方法より２〜５日短く、６日間で乾燥できることがわかった。
【０１６８】
発芽率の調査では、早生品種１００％、晩生品種も９７％と良好であり、品質についても問題なく、本発明の種子の乾燥装置を用いた乾燥方法では、従来の吊し乾燥方法と比し、有利な効果が得られた。
【０１６９】
【発明の効果】
以上説明したように、請求項１に記載の玉葱の種子の乾燥方法によれば、前記種子収納容器を前記風路に配置して、前記循環風を前記種子収納容器内を通過させて前記種子又は前記球根を乾燥するため、前記種子収納容器を積み重ねて配置することができ、乾燥スペースの低減を図ることができる。
【０１７０】
そして、前記内気を除湿するため、前記種子又は前記球根の乾燥期間を一定に保つことができる。
【０１７１】
更に、前記循環風が均一に前記種子収納容器内を通過するように該種子収納容器を前記循環風の風路に配置するため、前記種子又は前記球根を均一に乾燥させることができ、乾燥期間の短縮を図ることができる。
【０１７２】
また、請求項２に記載された発明によれば、前記種子又は前記球根の発芽率が低下する温度より、前記内気を低温に冷却するため、外気温が高温の場合であっても、前記種子又は前記球根の発芽率の低下を抑制することができる。
【０１７３】
また、請求項３に記載の発明によれば、前記乾燥室の内気を除湿する前記除湿手段を有しているため、該乾燥室内を除湿することができ、前記種子又は前記球根の乾燥期間を略一定に保つことができる。
【０１７４】
そして、前記風路に配置され、前記種子又は前記球根を収納する通風可能な種子収納容器を有しているため、前記循環風を前記種子収納容器内に作用させることができ、前記種子又は前記球根の乾燥期間の短縮を図ることができる。
【０１７５】
更に、前記種子収納容器を前記風路に配置するため、該種子収納容器を積み重ねて配置することができ、乾燥スペースの低減を図ることができる。
【０１７６】
また、請求項４に記載された発明によれば、前記内気を冷却する冷却手段を有しているため、前記乾燥室外の気温が上昇しても前記乾燥室の内気を前記種子又は球根の発芽率の低下する温度より低温に保つことができ、発芽率の低下の抑制を図ることができる。
【０１７７】
また、請求項５に記載された発明によれば、前記非通気性部材が前記種子収納容器と前記送風手段とを画成するため、前記送風手段からの送風が直接に前記種子収納容器に作用せず、前記種子又は前記球根の乾燥が不均一となることを防止することができる。
【０１７８】
また、請求項６に記載された発明によれば、前記種子収納容器が、前記循環風が均一に該種子収納容器内を通過するように配置されるため、前記循環風を均一に前記種子収納容器内を通過させて個体差を生じさせず前記種子又は前記球根を均一に乾燥させることができる。
【図面の簡単な説明】
【図１】本発明の玉葱の種子の乾燥装置の側面模式図である。
【図２】本発明の玉葱の種子の乾燥装置の上面模式図である。
【図３】本発明の玉葱の種子の乾燥装置が有する種子収納容器の斜視図である。
【図４】本発明の玉葱の種子の乾燥方法における茎の切り離し位置を示した説明図（ａ）、及び種子袋の側面図（ｂ）である。
【図５】従来の玉葱の種子の乾燥に用いられている吊し乾燥方法の説明図である。
【図６】実施例で使用した植物の種子又は球根の乾燥装置の側面模式図であり、二点鎖線は実施例２で用いた風路形成手段としての差圧シートを示している。
【図７】実施例で使用した植物の種子又は球根の乾燥装置の上面模式図であり、二点鎖線は実施例２で用いた風路形成手段としての差圧シートを示している。
【図８】実施例１における各コンテナＣ１、Ｃ２の乾燥速度と質量減少率を示した図である。
【図９】実施例１におけるコンテナＣ１（開口率の大きなコンテナ）の配置される上下方向の位置の相違による種子袋（種子）の乾燥速度及び乾燥ムラの経時変化を示した図である。
【図１０】実施例１におけるコンテナＣ２（開口率の小さなコンテナ）の配置される上下方向の位置の相違による種子袋（種子）の乾燥速度及び乾燥ムラの経時変化を示した図である。
【図１１】実施例１におけるコンテナＣの配置される水平方向の位置の相違による種子袋の乾燥速度及び乾燥ムラの経時変化を示した図である。
【図１２】実施例１における温度及び湿度の経時変化を示した図である。
【図１３】実施例１における時間別消費電力量を示した図である。
【図１４】実施例２における種子袋の乾燥速度及び質量減少率を示した図である。
【図１５】実施例２における、コンテナＣ１に収納された種子袋の乾燥速度及び乾燥ムラの経時変化を示した図であり、７月２２日に配置されたコンテナＣ１に収納された種子袋についての測定結果である。
【図１６】実施例２における、コンテナＣ１に収納された種子袋の乾燥速度及び乾燥ムラの経時変化を示した図であり、７月２３日に配置されたコンテナＣ１に収納された種子袋についての測定結果である。
【図１７】実施例２におけるコンテナＣの配置される水平方向の位置の相違による種子袋の乾燥速度及び乾燥ムラの経時変化を示した図である。
【図１８】実施例２における温度及び湿度の経時変化を示した図である。
【図１９】実施例２における時間別消費電力量を示した図である。
【符号の説明】
１  玉葱の種子袋（植物の種子又は球根）
２  茎
１０  玉葱の種子の乾燥装置（植物の種子又は球根の乾燥装置）
１１  非通気性部材（風路形成手段）
１２  除湿機（除湿手段、冷却手段）
１３  送風機（送風手段）
１４  コンテナ（種子収納容器）
Ｒ  乾燥室
ｒ１、ｒ２、ｒ３、ｒ４  風路
Ｗ１、Ｗ２、Ｗ３  循環風
【図１】
2004286296.tif 000019
【図２】
2004286296.tif 000020
【図３】
2004286296.tif 000021
【図４】
2004286296.tif 000022
【図５】
2004286296.tif 000023
【図６】
2004286296.tif 000024
【図７】
2004286296.tif 000025
【図８】
2004286296.tif 000026
【図９】
2004286296.tif 000027
【図１０】
2004286296.tif 000028
【図１１】
2004286296.tif 000029
【図１２】
2004286296.tif 000030
【図１３】
2004286296.tif 000031
【図１４】
2004286296.tif 000032
【図１５】
2004286296.tif 000033
【図１６】
2004286296.tif 000034
【図１７】
2004286296.tif 000035
【図１８】
2004286296.tif 000036
【図１９】
2004286296.tif 000037